(57)【特許請求の範囲】
【請求項１】
資料を載置するステージと別体の基台に回動軸部を設け、該回動軸部から立設して先端に撮像カメラを取り付けた支柱を、起立姿勢と前傾姿勢間で回動させるようにした資料提示装置であって、
前記回動軸部を前記基台の正面側に設け、
前記支柱の先端部を湾曲させて基台の正面から離れるように手前側に突出させ、該先端部に前記撮像カメラを取り付け、
前記回動軸部の軸支ブラケットに軸支した回動軸に波ワッシャを挿通し、該波ワッシャを回動軸に螺合するナットにより前記軸支ブラケットに締め付けて、該回動軸に対する制動力を作用させ、
さらに回動軸には前記支柱が前傾姿勢から起立姿勢に戻る方向の付勢力を作用させる捩りバネを装着して、
前記制動力と付勢力とを支柱の回動モーメントと拮抗させるとともに、
前記基台内に錘を装着して、前記支柱の回動操作時に該基台が移動しないようにしたことを特徴とする資料提示装置。
【発明の詳細な説明】
【技術分野】
【０００１】
本発明は、資料提示装置に関するものである。
【背景技術】
【０００２】
基台に回動軸部を設け、該回動軸部から立設して先端に撮像カメラを取り付けた支柱を、起立姿勢と前傾姿勢間で回動させるようにした従来の小型の資料提示装置では、回動軸部に皿バネや波ワッシャ等を用いて支柱が前傾しないように制動力を作用させている（特開平１０−１９１１０５号参照）。
【０００３】
しかしながら、上記のように制動力が作用する従来の資料提示装置では、支柱を前傾させたり前傾した支柱を起立させたりする場合には、基台部分を片方の手で押さえ、もう一方の手で支柱を動かす必要があった。基台を押さずに片手で支柱を動かそうとすると、支柱とともに基台が動いてしまうという不都合があった。
【特許文献１】特開平１０−１９１１０５号公報
【発明の開示】
【発明が解決しようとする課題】
【０００４】
解決しようとする問題点は、撮像カメラを取り付けた支柱を片手で動かすことができる操作性に優れた資料提示装置を提供することである。
【課題を解決するための手段】
【０００５】
上記問題点を解決するための請求項１に記載の発明は、資料を載置するステージと別体の基台に回動軸部を設け、該回動軸部から立設して先端に撮像カメラを取り付けた支柱を、起立姿勢と前傾姿勢間で回動させるようにした資料提示装置であって、
前記回動軸部を前記基台の正面側に設け、
前記支柱の先端部を湾曲させて基台の正面から離れるように手前側に突出させ、該先端部に前記撮像カメラを取り付け、
前記回動軸部の軸支ブラケットに軸支した回動軸に波ワッシャを挿通し、該波ワッシャを回動軸に螺合するナットにより前記軸支ブラケットに締め付けて、該回動軸に対する制動力を作用させ、
さらに回動軸には前記支柱が前傾姿勢から起立姿勢に戻る方向の付勢力を作用させる捩りバネを装着して、
前記制動力と付勢力とを支柱の回動モーメントと拮抗させるとともに、
前記基台内に錘を装着して、前記支柱の回動操作時に該基台が移動しないようにしたことを特徴とする。
【発明の効果】
【０００６】
請求項１に記載の資料提示装置によれば、回動軸部には波ワッシャによる制動力と捩りバネによる付勢力が作用し、両者を支柱の回動モーメントと拮抗させているから、支柱を任意の前傾角度で停止させることができるいわゆるフリーストップ機構とすることができる。さらに、支柱を前傾姿勢から起立姿勢に戻す際には、捩りバネの付勢力のアシストにより、支柱を簡単に起立させることができる。さらに、基台内に錘を装着しているから、支柱を前傾させる際に基台を押さえなくても背面側が浮き上がることがない等、支柱を片手で動かすことができる操作性に優れた資料提示装置を提供することができる。
【実施例】
【０００７】
本発明の実施例について図面を参照して説明する。図１は、実施例に係る資料提示装置１の本体２とステージ１００ａを結合させた基本形態の斜視図である。本体２は、基台３、支柱１３及び撮像カメラ１７とから構成されている。基台３は、平面形状が矩形で正面４と背面５には曲成面がそれぞれ形成されている。正面４の下縁の直角の隅角部に図１１に示すように、マグネット片６を貼付した位置決め部７が形成されている。
【０００８】
また、基台３の内部には、制御回路ユニット８と錘９が装着されている。錘９は後述するように支柱１３を前傾させたとき、基台３の背面５側が浮き上がるのを防止するものである。さらに、基台３の背面５には外部機器との電気的接続を確保するための各種の連結ソケット１０等が配設されている。基台３の正面４側の曲成面の略中央部には回動軸部１１が支承されている。回動軸部１１の上面には、支柱立設部１２が形成されている。
【０００９】
支柱立設部１２には、支柱１３が挿し込まれて立設されている。支柱１３は、中空であって内部にワイヤーハーネス（図示せず。）等を挿通出来るようになっている。支柱１３には湾曲部１４が形成されている。該湾曲部１４の先端は、前記基台３の正面４から離れる方向に突出する水平部１５が形成されている。さらに該水平部１５の先端には連結部１５ａが取り付けられている。該連結部１５ａの先端に中空の回動軸１６が形成されている。該回動軸１６には、撮像カメラ１７が回動可能に取り付けられる。
【００１０】
図２〜図４に示すように前記回動軸部１１は、左右２個のアルミダイカスト製の部材２１，２２を合体させたものである。左側の部材２１には、左側面に中空軸部２３が形成されている。中空軸部２３は、先端部に雄ネジ２４が形成されている。該中空軸部２３は、スペーサ２５を嵌めて基台３の内部に固定したブラケット２６の軸支孔２７に挿通されている。中空軸部２３の軸支孔２７から突出する部分には、波ワッシャ２８と平ワッシャ２９を嵌めて、ナット３０により両者をブラケット２６に締め付けている。
【００１１】
右側の部材２２には、右側面に軸部３１とバネ掛けピン３２が形成されている。軸部３１は、スペーサ３３を嵌めて基台３の内部に固定したブラケット３４の軸支孔３５に挿通されている。また、バネ掛けピン３２は、ブラケット３４に軸支孔３５と同心に形成した円弧孔３６に挿通されている。さらに、軸部３１の軸端には捩りバネ３７を装着したバネ装着軸３８が固定されている。
【００１２】
捩りバネ３７の一端のフック３９は、バネ掛けピン３２に掛けられている。他端のフック４０は、ブラケット３４のバネ掛け部４１に掛けられている。この捩りバネ３７は、回動軸部１１の支柱立設部１２に立設される支柱１３が、前傾姿勢から起立する方向にトルクを付勢する。ブラケット３４には、バネ掛けピン３２が当接して支柱１３の起立姿勢を規制するストッパ４２が設けられている。
【００１３】
図５は撮像カメラ１７の斜視図である。撮像カメラ１７は、共に細長い回動軸支部５１とカメラヘッド部５２とから構成されている。回動軸支部５１は、上下二つ割の円筒状の合成樹脂製の筐体５３ａ，５３ｂで構成されている。また、カメラヘッド部５２も同様に上下二つ割の円筒状の合成樹脂製の筐体５４ａ，５４ｂから構成されている。
【００１４】
回転軸支部５１の下側の筐体５３ｂの基端側の側面には、前記支柱１３の水平部１５の先端に取り付けた回動軸１６が挿し込まれている。該回動軸１６は、筐体５３ｂに設けた回動軸受５５にネジ止めする締着片５６により、該回動軸受５５に回動自在に軸支されている。そして、筐体５３ｂには回動軸１６の回動角度を９０度に規制するストッパ（図示せず。）が設けられている。
【００１５】
さらに、筐体５３ｂと回動軸１６間には、９０度の回動毎に節度感を付与する節度機構（図示せず。）が形成されている。筐体５３ｂの基端側の側端には、中心にオートフォーカスボタン５７を組み込んだズームダイヤル５８が調整回転可能に取り付けられている。さらに、ズームダイヤル５８が取り付けられた側端とは反対側の側端には、連結軸支ブラケット５９が取り付けられている。
【００１６】
カメラヘッド部５２の下側の筐体５４ｂには、撮像カメラ１７のカメラ制御回路ユニット６０が装着されている。そして、筐体５４ｂの先端部の下面からは、レンズ鏡筒６１が突出形成されている。筐体５４ｂの基端側の側端には、連結軸支ブラケット６２が取り付けられている。上記筐体５３ｂの連結軸支ブラケット５９と、筐体５４ｂの連結軸支ブラケット６２間には、中空の連結軸６３が挿通され軸支されている。この連結軸６３により、カメラヘッド部５２は回転軸支部５１に対して回動可能に連結される。
尚、撮像カメラ１７は、図７に示すようにズームダイヤル５８に代えて、操作ノブ６４等にすることもできる。
【００１７】
前記基台３内に装着された制御回路ユニット６と、カメラ制御回路ユニット６１間及びオートフォーカスボタン５７を組み込んだズームダイヤル５８等の電気的接続を確保するワイヤーハーネス等は、回動軸部１１の中空軸部２３、支柱１３、中空の回動軸１６及び連結軸６３を通して配線される。
【００１８】
上記構成の本体２は、図１及び図８に示す基本形態から、図９の撮像カメラ１７の回動軸支部５１を回動軸１６の回りで回動させて、水平姿勢から垂直姿勢に回動させた形態、及び図１０の支柱１３を前傾させた形態に変化させることができる。
【００１９】
支柱１３を前傾させる際には、基台３の内部に装着されている錘９作用により、基台３の背面５側が浮き上がることがない。そして、回動軸部１１には波ワッシャ２８と平ワッシャ２９を介してナット３０により、ブラケット２６，３４間に締め付けて制動力が作用している。また、回動軸部１１の軸部３１には、前傾した支柱１３が起き上がる方向のトルクが捩りバネ３７により付勢されている。
【００２０】
従って、撮像カメラ１７を取りつけた支柱１３の回動モーメントと、ナット３０の締め付け力及び捩りバネ３７の付勢力とを調整して拮抗させることにより、支柱１３を任意の前傾角度で停止させることができるいわゆるフリーストップ機構とすることができる。さらに、支柱１３を前傾姿勢から起立姿勢に戻す際には、捩りバネ３７の付勢力のアシストにより、支柱１３を簡単に起立させることができる。
【００２１】
図１２〜図１５は、上記本体２に連結して使用されるステージ１００ａ〜１００ｄを例示したものである。何れのステージ１００ａ〜１００ｄも上面に資料の載置面１０１が形成されている。また、各ステージ１００ａ〜１００ｄの前縁部には、基台３の位置決め部７に結合する被位置決め部材１０２が形成されている。被位置決め部材１０２は、直角の見当部１０３が形成されている。見当部１０３の一辺には、磁性片１０４が貼付されている。
【００２２】
上記位置決め部７と被位置決め部材１０２は、マグネットの吸引力により結合する。このとき、基台３の直角の隅角部と見当部１０３が当接することにより、各ステージ１００ａ〜１００ｄの載置面１０１が、上記本体２の基本形態の際の撮像カメラ１７の撮像範囲内に対応して載置面１０１の中心部と撮像カメラ１７の中心部とが合致するように位置決めされる。
【００２３】
図１２のステージ１００ａは、載置面１０１をホワイトボード１０５としたものである。図１３のステージ１００ｂは、載置面１０１にバックライト照明１０６を設けたものである。図１４のステージ１００ｃは、ステージ部材１０７ａ，１０７ｂを蝶番（図示しない。）で連結して折り畳できる形態としたものである。図１５のステージ１００ｄは、光沢のある資料１０８である場合に、付属の反射防止シート１０９を被せるようにしたものである。
【００２４】
上記位置決め部７と被位置決め部材１０２との結合は、雌雄の関係で結合する蟻ほぞ形の突条と蟻溝による嵌め合いで行なってもよい。さらに被位置決め部材１０２を各ステージ１００ａ〜１００ｄに対して、着脱可能として１個の被位置決め部材１０２を共通的に使用することもできる。
【００２５】
上記実施例に係る資料提示装置１は、回動軸部１１に波ワッシャ２８による制動力と捩りバネ３７による付勢力が作用し、両者を支柱１３の回動モーメントと拮抗させているから、支柱１３を任意の前傾角度で停止させることができるいわゆるフリーストップ機構とすることができる。さらに、支柱１３を前傾姿勢から起立姿勢に戻す際には、捩りバネ３７の付勢力のアシストにより、支柱１３を簡単に起立させることができる。さらに、基台３内に錘９を装着しているから、支柱１３を前傾させる際に基台３を押さえなくても背面５側が浮き上がることがない等、支柱１３を片手で動かすことができる操作性に優れた資料提示装置を提供することができる。
【図面の簡単な説明】
【００２６】
【図１】実施例に係る資料提示装置の基本形態を示した斜視図である。
【図２】回動軸部の分解斜視図である。
【図３】回動軸部の断面図である。
【図４】回動軸部の斜視図である。
【図５】撮像カメラの斜視図である。
【図６】撮像カメラの内部を示した斜視図である。
【図７】撮像カメラの他の形態を示した斜視図である。
【図８】本体の１形態を示した斜視図である。
【図９】本体の１形態を示した斜視図である。
【図１０】本体の１形態を示した斜視図である。
【図１１】位置決め部と被位置決め部を示した要部の斜視図である。
【図１２】ステージの１形態を示した斜視図である。
【図１３】ステージの１形態を示した斜視図である。
【図１４】ステージの１形態を示した斜視図である。
【図１５】ステージの１形態を示した斜視図である。
【符号の説明】
【００２７】
１ 資料提示装置
２ 本体
３ 基台
４ 正面
５ 背面
９ 錘
１１ 回動軸部
１２ 支柱立設部
１３ 支柱
１４ 湾曲部
１５ 水平部
１６ 回動軸
１７ 撮像カメラ
２１，２２ 部材
２３ 中空軸部
２４ 雄ネジ
２５，３３ スペーサ
２６，３４ ブラケット
２８ 波ワッシャ
３０ ナット
３１ 軸部
３７ 捩りバネ
【図１】
0004718998.tif 000002
【図２】
0004718998.tif 000003
【図３】
0004718998.tif 000004
【図４】
0004718998.tif 000005
【図５】
0004718998.tif 000006
【図６】
0004718998.tif 000007
【図７】
0004718998.tif 000008
【図８】
0004718998.tif 000009
【図９】
0004718998.tif 000010
【図１０】
0004718998.tif 000011
【図１１】
0004718998.tif 000012
【図１２】
0004718998.tif 000013
【図１３】
0004718998.tif 000014
【図１４】
0004718998.tif 000015
【図１５】
0004718998.tif 000016